(57)【特許請求の範囲】
【請求項１】
料金精算機において操作を行う操作パネルを表す操作位置指示部を含み、前記料金精算機に通行料を支払う操作の操作項目が入力され、操作を説明するための説明言語が選択される入出力部と、
前記操作項目に応じた操作説明を前記説明言語で表す出力信号を生成する制御部と、
管理員操作装置と、
を備え、
前記入出力部は、前記出力信号に応じて、前記操作説明を出力し、
前記操作位置指示部は、前記出力信号に応じて、前記料金精算機の前記操作パネルの操作位置を指示し、
前記管理員操作装置は、前記操作位置指示部が指示する操作位置を制御する
料金精算機の操作説明システム。
【請求項２】
前記入出力部は、前記操作項目に応じた前記操作説明を表す音声を出力し、
前記出力信号は、前記操作説明を前記説明言語で説明する音声を表す音声信号を含み、
前記制御部は、
前記音声信号を前記入出力部に出力しているときに前記入出力部に前記説明言語が選択されたとき、前記操作説明を新たに選択された前記説明言語で説明する音声を表す前記音声信号を出力する
請求項１に記載の料金精算機の操作説明システム。
【請求項３】
前記入出力部は、前記操作項目に応じた前記操作説明を表す音声を出力し、
前記出力信号は、前記操作説明を前記説明言語で説明する音声を表す音声信号を含み、
前記制御部は、
前記音声信号を前記入出力部に出力しているときに前記入出力部に前記操作項目が入力されたとき、前記説明言語で新たに入力された前記操作項目を説明する音声を表す前記音声信号を出力する
請求項１または２に記載の料金精算機の操作説明システム。
【請求項４】
前記入出力部は、前記操作項目に応じた前記操作説明を表す音声を出力し、
前記出力信号は、前記操作説明を前記説明言語で説明する音声を表す音声信号を含み、
前記制御部は、
前記音声信号の出力を開始してから所定の期間が経過する前で、前記音声信号を前記入出力部に出力しているときに前記入出力部に前記操作項目が入力されたとき、元の前記操作項目に応じた前記音声信号を出力し続け、
前記音声信号の出力を開始してから前記所定の期間が経過した後で、前記音声信号を前記入出力部に出力しているときに前記入出力部に前記操作項目が入力されたとき、前記説明言語で新たに入力された前記操作項目を説明する音声を表す前記音声信号を出力する
請求項１または２に記載の料金精算機の操作説明システム。
【発明の詳細な説明】
【技術分野】
【０００１】
本発明は、料金精算機の操作説明システムに関するものである。
【背景技術】
【０００２】
高速道路などの料金所において、通行料を支払うために料金精算機が使用されている。
【０００３】
例えば、特許文献１には、料金所において聴覚障害者を支援するための聴覚障害者用案内システムが開示されている。このシステムは、料金精算機に隣接して設けられる表示機と、管理事務所に設けられる応答器とを備える。表示機には、タッチセンサーと表示部とを備え、タッチセンサーを用いて応答器の呼出ブザーを鳴らすことができる。管理事務所の管理員が応答器の応答ボタンを押すことで、表示機の表示部に管理員が向かっていることを表す表示を行う。
【先行技術文献】
【特許文献】
【０００４】
【特許文献１】特開２０１２−３５６４号公報
【発明の概要】
【発明が解決しようとする課題】
【０００５】
高速道路などの料金所に設置される料金精算機において、聴覚障害者などの利用者への支援は進んでいるが、海外からの旅行者への支援は十分ではない。料金精算機を用いて、現金だけでなく、クレジットカード、ＥＴＣ（Electronic  Toll  Collection  System）カードなどで通行料を支払うことができ、その操作が複雑化している。また、海外からの旅行者は、文化の違いなどから、日本国で生活している利用者よりも料金精算機の操作方法を理解するのが難しい。さらに、高速道路の料金精算機については、周囲に操作方法を尋ねる人が少ない場合が多く、周囲の人に操作方法を聞くことも難しい。
【０００６】
上記の状況に鑑み、様々な利用者に料金精算機の操作方法を説明するための操作説明システムを提供することを目的の１つとする。他の目的については、以下の記載及び実施の形態の説明から理解することができる。
【課題を解決するための手段】
【０００７】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００８】
上記目的を達成するための一実施の形態による料金精算機（２１）の操作説明システム（３０）は、入出力部（１６０）と、制御部（１７０）とを備える。入出力部（１６０）には料金精算機に通行料を支払う操作の操作項目が入力される。また、入出力部（１６０）において操作を説明するための説明言語が選択される。制御部（１７０）は、操作項目に応じた操作説明を説明言語で表す出力信号を生成する。入出力部（１６０）は、出力信号に応じて、操作説明を出力する。
【発明の効果】
【０００９】
上記の形態によれば、操作説明システムは様々な利用者に料金精算機の操作を説明することができる。
【図面の簡単な説明】
【００１０】
【図１】一実施の形態における操作説明システムの設置例を表す図である。
【図２】一実施の形態における料金精算機の操作パネルの構成図である。
【図３】一実施の形態における説明装置の構成図である。
【図４】一実施の形態における操作説明システムの構成図である。
【図５】一実施の形態における制御用データの概要を表す図である。
【図６Ａ】一実施の形態における説明装置の演算装置による処理を表すフローチャートである。
【図６Ｂ】一実施の形態における説明装置の演算装置による処理を表すフローチャートである。
【図６Ｃ】一実施の形態における説明装置の演算装置による処理を表すフローチャートである。
【図７Ａ】一実施の形態における説明装置の演算装置による起動処理を表すフローチャートである。
【図７Ｂ】一実施の形態における説明装置の演算装置による起動処理を表すフローチャートである。
【図８】一実施の形態における操作装置の構成図である。
【図９】一実施の形態における操作説明システムの構成図である。
【発明を実施するための形態】
【００１１】
（実施の形態１）
本実施の形態では、図１に示すように、高速道路の料金所に設置される料金精算機２１の操作方法を説明する操作説明システム３０を例に説明する。料金所には、車両、例えば自動車、二輪自動車が通行する走行レーン１０に沿って、アイランド２０が設けられている。アイランド２０には、料金精算機２１と、発進制御機２２と、操作説明システム３０の説明装置３１が設けられている。発進制御機２２は、走行レーン１０に突出するように設けられたバーを備え、走行レーン１０を走行する車両に停止することを促す。利用者が料金精算機２１に通行料を支払うことで、発進制御機２２はバーを上げて、車両に通過することを促す。また、操作説明システム３０は、管理事務所に設置される操作装置３２を備える。
【００１２】
料金精算機２１は、様々な支払い方法に対応するため、例えば図２に示すように、カード挿入部４１と、硬貨挿入部４２と、紙幣挿入部４３と、おつり返却部４４と、領収書出力部４５と、呼出部４６と、証明書収納部４７と、操作レバー４８と、撮像部４９とを操作パネルに備える。
【００１３】
カード挿入部４１には、通行券、ＥＴＣ（Electronic  Toll  Collection  System）カード、クレジットカードなどのカード類が挿入される。カード挿入部４１に通行券が挿入されると、料金精算機２１は、通行券からデータを読み出し、読み出したデータに基づき通行料を算出し、算出した通行料を表示する。カード挿入部４１にＥＴＣカードが挿入されると、料金精算機２１は、ＥＴＣカードからデータを読み出し、読み出したデータに基づき通行料を算出する。さらに料金精算機２１は、算出した通行料を表示するとともに、通行料を決済システムに登録して、決済システムに決済処理を実行させる。
【００１４】
カード挿入部４１には、通行券が挿入されたあとに、通行料をクレジットカードで支払うときにクレジットカードが挿入される。クレジットカードがカード挿入部４１に挿入されると、料金精算機２１は、決済システムと通信して、算出された通行料について、クレジットカードでの決済処理を決済システムに実行させる。
【００１５】
硬貨挿入部４２には、通行券が挿入されたあとに、通行料を現金で支払うときに硬貨が挿入される。通行券をカード挿入部４１に挿入することで表示される料金のうち、硬貨で支払う料金に応じた硬貨が硬貨挿入部４２に挿入される。
【００１６】
紙幣挿入部４３には、通行券が挿入されたあとに、通行料を現金で支払うときに紙幣が挿入される。通行券をカード挿入部４１に挿入することで表示される料金のうち、紙幣で支払う料金に応じた紙幣が紙幣挿入部４３に挿入される。
【００１７】
おつり返却部４４には、通行料を現金で支払ったときのおつりが返却される。料金精算機２１は、挿入された現金と通行料との差額の金額の現金をおつり返却部４４に出力する。
【００１８】
領収書出力部４５には、領収書の発行ボタンが押されたときに、領収書が出力される。
【００１９】
呼出部４６は、例えば料金精算機２１の操作方法がわからない場合に押される。呼出部４６が押されることで、料金精算機２１に設けられたマイクロフォンとスピーカとが、管理事務所に設けられたスピーカとマイクロフォンとに接続される。これにより、料金精算機２１の利用者は、管理事務所の管理員と通話を行うことができる。
【００２０】
証明書収納部４７には、利用者が持参した証明書が挿入される。
【００２１】
操作レバー４８は、障害者手帳を持つ利用者が管理事務所の管理員に連絡を取るために使用される。操作レバー４８が降ろされると、料金精算機２１は、操作レバー４８が降ろされたことを管理事務所の管理員に通知するための処理を行う。管理事務所の管理員は、料金精算機２１を介して、利用者に撮像部４９に障害者手帳を写すように伝える。
【００２２】
撮像部４９は、例えば静止画または動画を撮像するカメラであり、障害者手帳を撮像する。撮像された画像は、管理事務所の表示器に表示され、管理員に確認される。管理員は、障害者手帳を確認して、料金精算機２１の料金設定を障害者手帳の記載に応じて変更する。これにより、料金精算機２１で要求される通行料の設定が変更される。その後、通行券またはＥＴＣカードがカード挿入部４１に挿入されることで、変更された通行料を用いて料金精算機２１が動作する。
【００２３】
以上のように、利用者は料金精算機２１を用いて様々な方法で通行料を支払うことができる。
【００２４】
図１に示す操作説明システム３０の説明装置３１は、操作説明を行う料金精算機２１に隣接して設けられ、料金精算機２１の操作方法を音声と表示とで説明する。説明装置３１は、図３に示すように、言語選択部１１０と、説明要求部１２０と、操作位置指示部１４０と、聴覚障害者支援部１５０とを備える。
【００２５】
言語選択部１１０には、説明装置３１が料金精算機２１の操作を説明するために出力する音声の言語が入力される。言語選択部１１０は、第１言語入力部１１１ａ、第２言語入力部１１１ｂなどを含む複数の言語入力部１１１と、第１言語表示部１１２ａ、第２言語表示部１１２ｂなどを含む複数の言語表示部１１２とを備える。
【００２６】
言語表示部１１２は、説明装置３１が操作を説明するときに選択できる言語が表示されている。例えば、第１言語表示部１１２ａには日本語を表す表記が表示され、第２言語表示部１１２ｂには英語を表す表記が表示されている。第３言語表示部１１２ｃには中国語を表す表記が表示されている。
【００２７】
言語入力部１１１は、説明装置３１が操作を説明するときに用いる言語が入力される。例えば、言語入力部１１１はボタンである。この場合、言語入力部１１１は、言語表示部１１２に対応付けられている。例えば、日本語を選択するときに入力される第１言語入力部１１１ａは、日本語を表す第１言語表示部１１２ａに対応付けられている。英語を選択するときに入力される第２言語入力部１１１ｂは、英語を表す第２言語表示部１１２ｂに対応付けられている。言語入力部１１１が選択されると、例えば言語入力部１１１に対応するボタンが押されると、説明装置３１は、選択された言語入力部１１１に対応する言語表示部１１２に表された言語の音声を出力する。
【００２８】
また、言語入力部１１１は、ＬＥＤ（light  emitting  diode）などの発光装置を備える。選択されている言語に対応する言語入力部１１１の発光装置が発光し、選択されている言語を表す。
【００２９】
言語選択部１１０は、１つの言語入力部１１１と、対応可能な複数の言語が表示された１つの言語表示部１１２とで構成されてもよい。この場合、言語入力部１１１には、言語表示部１１２に表示された言語が入力される。説明装置３１は、入力された言語の音声で操作方法を説明する。
【００３０】
説明要求部１２０には、料金精算機２１の操作方法の説明を要求する操作項目が入力される。説明装置３１は、説明要求部１２０に入力された操作項目の表す操作を説明する。
【００３１】
例えば、説明要求部１２０は、第１操作項目入力部１２１ａ、第２操作項目入力部１２１ｂなどを含む複数の操作項目入力部１２１を備える。例えば、操作項目入力部１２１はボタンで構成される。説明要求部１２０には、各ボタンに対応した操作項目が表されている。
【００３２】
例えば、説明要求部１２０には、第１操作項目入力部１２１ａに対応する位置に通行料を支払うときに行う最初の操作を表す操作項目が表されている。第１操作項目入力部１２１ａが選択されると、例えば第１操作項目入力部１２１ａのボタンが押されると、説明装置３１は通行料を支払うときに行う最初の操作を説明する。説明要求部１２０には、第２操作項目入力部１２１ｂに対応する位置に現金で支払うことを表す操作項目が表されている。第２操作項目入力部１２１ｂが選択されると、説明装置３１は通行料を現金で支払うための操作を説明する。説明要求部１２０には、第３操作項目入力部１２１ｃに対応する位置にカードで支払うことを表す操作項目が表されている。第３操作項目入力部１２１ｃが選択されると、説明装置３１は通行料をカードで支払うための操作を説明する。説明要求部１２０には、第４操作項目入力部１２１ｄに対応する位置におつりを受け取ることを表す操作項目が表されている。第４操作項目入力部１２１ｄが選択されると、説明装置３１はおつりを受け取るための操作を説明する。説明要求部１２０には、第５操作項目入力部１２１ｅに対応する位置に領収書を受け取ることを表す操作項目が表されている。第５操作項目入力部１２１ｅが選択されると、説明装置３１は領収書を受け取るための操作を説明する。説明要求部１２０には、第６操作項目入力部１２１ｆに対応する位置に、トラブルが発生したときなどに管理員と通話することを表す操作項目が表されている。第６操作項目入力部１２１ｆが選択されると、説明装置３１は管理員と通話するための操作を説明する。
【００３３】
操作位置指示部１４０は、操作説明に応じて料金精算機２１の操作位置を表す。例えば、操作位置指示部１４０は、料金精算機２１の操作パネルを表し、操作位置に対応する位置にＬＥＤなどの発光装置を備える。操作位置指示部１４０は、発光装置を発光、例えば点灯、または点滅させることで、料金精算機２１の操作パネルにおける操作位置を指し示す。例えば、操作位置指示部１４０は、料金精算機２１の操作パネルの各部に対応して、カード挿入位置指示部１４１と、硬貨挿入位置指示部１４２と、紙幣挿入位置指示部１４３と、おつり返却位置指示部１４４と、領収書出力位置指示部１４５と、呼出位置指示部１４６とを備える。
【００３４】
例えば、カード挿入位置指示部１４１は、操作位置指示部１４０において、料金精算機２１のカード挿入部４１に対応する位置に設けられている。例えば、説明装置３１は、第１操作項目入力部１２１ａが選択されて、料金精算機２１に通行料を支払うときに行う最初の操作を説明するときに、通行券またはＥＴＣカードを挿入することの説明に合わせて、カード挿入位置指示部１４１を発光して操作位置、具体的には通行券またはＥＴＣカードを挿入する位置を指示する。また、説明装置３１は、第３操作項目入力部１２１ｃが選択されて、料金精算機２１にクレジットカードを挿入することの説明に合わせて、カード挿入位置指示部１４１を発光して操作位置、具体的にはクレジットカードを挿入する位置を指示する。
【００３５】
硬貨挿入位置指示部１４２は、操作位置指示部１４０において、料金精算機２１の硬貨挿入部４２に対応する位置に設けられている。例えば、説明装置３１は、第２操作項目入力部１２１ｂが選択されて、料金精算機２１に通行料を現金で支払う操作を説明するときに、硬貨を挿入することの説明に合わせて、硬貨挿入位置指示部１４２を発光して操作位置、具体的には硬貨を挿入する位置を指示する。
【００３６】
紙幣挿入位置指示部１４３は、操作位置指示部１４０において、料金精算機２１の紙幣挿入部４３に対応する位置に設けられている。例えば、説明装置３１は、第２操作項目入力部１２１ｂが選択されて、料金精算機２１に通行料を現金で支払う操作を説明するときに、紙幣を挿入することの説明に合わせて、紙幣挿入位置指示部１４３を発光して操作位置、具体的には紙幣を挿入する位置を指示する。
【００３７】
おつり返却位置指示部１４４は、操作位置指示部１４０において、料金精算機２１のおつり返却部４４に対応する位置に設けられている。例えば、説明装置３１は、第４操作項目入力部１２１ｄが選択されて、料金精算機２１からおつりを受け取る操作を説明するときに、おつり返却位置指示部１４４を発光して操作位置、具体的にはおつりが返却される位置を指示する。
【００３８】
領収書出力位置指示部１４５は、操作位置指示部１４０において、料金精算機２１の領収書出力部４５に対応する位置に設けられている。例えば、説明装置３１は、第５操作項目入力部１２１ｅが選択されて、料金精算機２１から領収書を受け取る操作を説明するときに、領収書を出力することの説明に合わせて、領収書出力位置指示部１４５を発光して操作位置、具体的には領収書が出力される位置を指示する。
【００３９】
呼出位置指示部１４６は、操作位置指示部１４０において、料金精算機２１の呼出部４６に対応する位置に設けられている。例えば、説明装置３１は、第６操作項目入力部１２１ｆが選択されて、管理員と通話するための料金精算機２１の操作を説明するときに、呼出位置指示部１４６を発光して操作位置、具体的には管理員と通話するためのボタンの位置を指示する。
【００４０】
聴覚障害者支援部１５０は、聴覚障害者が管理員を呼び出すために操作される。聴覚障害者支援部１５０は、支援入力部１５１と、応答表示部１５２とを備える。
【００４１】
支援入力部１５１は、聴覚障害者が管理員の支援が必要なときに入力され、例えばボタンで構成されている。支援入力部１５１が押されると、説明装置３１は、管理事務所に設置された操作装置３２に管理員を呼び出すための呼出信号を送信する。操作装置３２は、呼出信号に応じて、呼出音を出力し、管理員に支援入力部１５１が押されたことを知らせる。
【００４２】
応答表示部１５２は、支援入力部１５１が入力されたときの管理員の状態、例えば応答の有無を表す。操作装置３２に管理員が応答操作を行うと、操作装置３２は管理員が応答したことを表す応答信号を生成する。応答表示部１５２は、ＬＥＤなどの発光装置を備え、生成された応答信号に基づき、点灯、点滅などの発光状態により管理員の状態を表す。
【００４３】
操作説明システム３０の説明装置３１は、図４に示すように、操作装置３２と通信可能に接続されている。説明装置３１は、前述の言語選択部１１０と、説明要求部１２０と、操作位置指示部１４０と、聴覚障害者支援部１５０とに加えて、音声出力部１６１と、制御部１７０と、通信装置１８０とを備える。言語選択部１１０と、説明要求部１２０と、操作位置指示部１４０と、聴覚障害者支援部１５０と、音声出力部１６１とを総称して、入出力部１６０と呼ぶ。
【００４４】
言語選択部１１０は、入力装置１１１−１（例えば、第１言語入力部１１１ａに対応する第１入力装置１１１ａ−１、第２言語入力部１１１ｂに対応する第２入力装置１１１ｂ−１など）と、発光装置１１１−２（例えば、第１言語入力部１１１ａに対応する第１発光装置１１１ａ−２、第２言語入力部１１１ｂに対応する第２発光装置１１１ｂ−２など）とを備える。入力装置１１１−１は、例えば操作を説明する言語を選択するためのボタンである。発光装置１１１−２は、選択されている言語を表し、対応する言語が選択されているときに発光する。
【００４５】
音声出力部１６１は、制御部１７０からの信号に応じて、料金精算機２１の操作を説明するための音声を出力する。
【００４６】
制御部１７０は、入出力部１６０からの入力に応じて、入出力部１６０での表示、例えば発光装置の発光を制御する。制御部１７０は演算装置１７１と記憶装置１７２と外部記憶装置１７３とを備える。演算装置１７１は、入出力部１６０を制御するための様々なデータ処理を行う。演算装置１７１は、記憶装置１７２からプログラムを読み出し実行して、入出力部１６０を制御する。例えば、演算装置１７１は中央処理装置（ＣＰＵ；Central  Processing  Unit）を備える。
【００４７】
記憶装置１７２は、入出力部１６０を制御するための様々なデータを格納する。例えば、記憶装置１７２は、入出力部１６０を制御するためのプログラムを記憶する非一時的記憶媒体（non-transitory  tangible  storage  medium）として用いられる。このプログラムは、コンピュータ読み取り可能な記憶媒体に記録されたコンピュータプログラム製品(computer  program  product)として提供されてもよく、または、サーバからダウンロード可能なコンピュータプログラム製品として提供されてもよい。
【００４８】
記憶装置１７２は、例えば、入出力部１６０を制御するための制御用データ３００を格納する。制御用データ３００は、図５に示すように、説明要求部１２０で選択される操作項目３１０と、言語選択部１１０で選択される説明言語３２０とに対して、音声出力部１６１に出力する音声データと、操作位置指示部１４０で指示する位置を表す操作位置指示３３０とを関連付けている。
【００４９】
制御用データ３００には、説明言語３２０と操作項目３１０との組み合わせに対応して音声データが登録されている。例えば、第１言語入力部１１１ａ、例えば日本語が選択された状態で、第１操作項目入力部１２１ａが選択されたとする。この場合、演算装置１７１は、制御用データ３００を参照して、操作項目３１０において第１操作項目入力部１２１ａに対応する「第１項目」と、説明言語３２０において第１言語入力部１１１ａに対応する「第１言語」とを検索し、「音声データ１１」を特定し、「音声データ１１」を記憶装置１７２から読み出す。演算装置１７１は、読み出した「音声データ１１」から音声信号を生成して、生成した音声信号を音声出力部１６１に出力する。音声出力部１６１は、音声信号に基づき、「音声データ１１」に対応するメッセージを出力する。演算装置１７１は、第１言語入力部１１１ａが選択された状態で、第２操作項目入力部１２１ｂが選択されると、操作項目３１０において「第２項目」と、説明言語３２０おいて「第１言語」とを検索し、「音声データ２１」を記憶装置１７２から読み出す。演算装置１７１は、読み出した「音声データ２１」に基づく音声信号を音声出力部１６１に出力する。演算装置１７１は、第２言語入力部１１１ｂが選択された状態で、第１操作項目入力部１２１ａが選択されると、操作項目３１０において「第１項目」と、説明言語３２０おいて「第２言語」とを検索し、「音声データ１２」を記憶装置１７２から読み出す。演算装置１７１は、読み出した「音声データ１２」に基づく音声信号を音声出力部１６１に出力する。同様に、演算装置１７１は、言語入力部１１１への選択と、操作項目入力部１２１への選択とに応じて、音声データを読み出し、読み出した音声データに基づく音声信号を音声出力部１６１に出力する。
【００５０】
制御用データ３００には、説明言語３２０に対応して、操作位置指示３３０が登録されている。例えば、第１操作項目入力部１２１ａが選択されたとする。演算装置１７１は、制御用データ３００を参照して、操作項目３１０において第１操作項目入力部１２１ａに対応する「第１項目」に基づき、操作位置指示３３０から発光すべき操作位置を特定する。具体的には、制御用データ３００には、操作項目３１０の「第１項目」に対応して、「カード挿入位置」に「発光」が記録されている。演算装置１７１は、制御用データ３００において「カード挿入位置」に対応するカード挿入位置指示部１４１を発光するための表示信号を生成して、カード挿入位置指示部１４１に送信する。カード挿入位置指示部１４１は、生成された表示信号に基づき、発光し、利用者に操作位置を指示する。なお、ここでは、演算装置１７１が音声出力部１６１に出力する音声信号と、操作位置指示部１４０に出力する表示信号とを区別しないときに、出力信号と呼ぶ場合がある。
【００５１】
外部記憶装置１７３は、取り外し可能に設けられ、プログラムの設定データ、プログラムのログなどを格納する。外部記憶装置１７３は、例えばＵＳＢ（Universal  Serial  Bus）メモリ、フラッシュメモリカードなどである。
【００５２】
また、制御部１７０は、図４に示す聴覚障害者支援部１５０を制御する。制御部１７０は、支援入力部１５１への入力を検知し、支援入力部１５１が押されたことを表す呼出信号を生成し、生成した呼出信号を操作装置３２の通信装置２１０に通信装置１８０を介して送信する。操作装置３２の通信装置２１０は、呼出信号に応じて、呼出ブザー２１１に信号を出力する。呼出ブザー２１１は、通信装置２１０が出力した信号に応じて、管理員に支援入力部１５１が押されたことを表す呼出音を出力する。管理員が応答ボタン２１２を押すことで、通信装置２１０は、応答ボタン２１２が押されたことを表す応答信号を生成し、説明装置３１の通信装置１８０を介して制御部１７０に応答信号を送信する。制御部１７０は、応答信号に応じて、応答表示部１５２を制御して、応答表示部１５２を点灯または点滅する。
【００５３】
説明装置３１が料金精算機２１の操作方法を説明する動作を説明する。演算装置１７１は、説明要求部１２０で選択された操作項目を、言語選択部１１０で選択されている言語で説明するように操作位置指示部１４０と音声出力部１６１とを制御する。また、音声出力部１６１が操作項目を説明するメッセージを出力しているときに、言語入力部１１１が選択されると、演算装置１７１は、選択されている操作項目を新たに選択された言語で、初めからメッセージを出力するように音声出力部１６１を制御する。このように動作することで、利用者は、聞きたい言語と異なる言語でメッセージが出力されたとき、すぐに聞きたい言語でメッセージを聞くことができる。
【００５４】
また、演算装置１７１は、音声出力部１６１がメッセージを出力しているときに、説明要求部１２０の操作項目入力部１２１が選択されると、新しく選択された操作項目のメッセージを初めから出力するように音声出力部１６１を制御する。このように動作することで、利用者は、説明装置３１が操作項目に対応するメッセージを出力しているときに、他の聞きたい操作項目に対応するメッセージを聞くことができる。
【００５５】
ただし、演算装置１７１は、音声出力部１６１がメッセージを出力し始めてから所定の期間経過するまで、操作項目入力部１２１が選択されても、音声出力部１６１が出力しているメッセージを変更せずに、元のメッセージを出力し続けるように制御する。このように動作することで、利用者が、間違って複数回、操作項目入力部１２１を押した場合でも、メッセージの出力を途中で停止して初めからメッセージを出力することを抑制する。
【００５６】
演算装置１７１は、詳細には、図６Ａ〜６Ｃに示す処理を行う。演算装置１７１は、電源が入れられると、ステップＳ１０５において、起動処理を行う。起動処理では、説明装置３１の動作を設定する様々なパラメータを設定する。例えば、このパラメータは、操作位置指示部１４０が操作位置を表す方法、例えば発光装置を点灯するのか、点滅するのかを表す指示を含んでもよい。また、パラメータには、初期言語、例えば起動時に選択される説明言語が含まれてもよい。パラメータには、制御用データ３００、例えば説明要求部１２０の操作項目入力部１２１と音声データと操作位置指示部１４０の操作位置との対応関係が含まれてもよい。さらに、音声データが含まれてもよい。
【００５７】
起動処理において、図７Ａ、７Ｂに示すように、演算装置１７１は、予め設定された優先順位に応じて設定データを読み出し、読み出した設定データに基づきパラメータを設定してもよい。演算装置１７１は、ステップＳ４１０において、外部記憶装置１７３に設定データが格納されているかを判定する。外部記憶装置１７３に設定データが格納されていないとき、または、外部記憶装置１７３が接続されていないとき、演算装置１７１は図７Ｂに示すステップＳ４４０を実行する。外部記憶装置１７３に設定データが格納されているとき、演算装置１７１は図７Ａに示すステップＳ４１５を実行する。
【００５８】
ステップＳ４１５において、演算装置１７１は設定データを外部記憶装置１７３から読み出す。続いて、ステップＳ４２０において、演算装置１７１は読み出した設定データが正常であるかを判定する。設定データが正常でないとき、演算装置１７１は図７Ｂに示すステップＳ４６０を実行する。設定データが正常であるとき、演算装置１７１は図７Ａに示すステップＳ４２５を実行し、読み出した設定データに基づき、プログラムの設定を初期化する。
【００５９】
演算装置１７１は、外部記憶装置１７３の設定データで初期化した後、ステップＳ４３０において、設定データを記憶装置１７２にコピーするかを決定する。例えば、設定データに、外部記憶装置１７３の設定データを記憶装置１７２にコピーするかの指示が表されている。演算装置１７１は、設定データを読み出すことで、外部記憶装置１７３の設定データを記憶装置１７２にコピーするか決定する。演算装置１７１は、設定データを記憶装置１７２にコピーすると決定すると、ステップＳ４３５において、設定データを外部記憶装置１７３から記憶装置１７２にコピーして起動処理を終了する。演算装置１７１は、設定データを記憶装置１７２にコピーしないと決定すると、起動処理を終了する。
【００６０】
演算装置１７１は、ステップＳ４１０において外部記憶装置１７３に設定データが格納されていないと判定すると、図７Ｂに示すステップＳ４４０において、記憶装置１７２に設定データが格納されているかを判定する。演算装置１７１は、記憶装置１７２に設定データが格納されていないと判定すると、ステップＳ４６０を実行する。記憶装置１７２に設定データが格納されていると判定すると、ステップＳ４４５を実行する。
【００６１】
ステップＳ４４５において、演算装置１７１は設定データを記憶装置１７２から読み出す。続いて、ステップＳ４５０において、演算装置１７１は読み出した設定データが正常であるかを判定する。設定データが正常でないとき、演算装置１７１はステップＳ４６０を実行する。設定データが正常であるとき、演算装置１７１は、ステップＳ４５５を実行し、読み出した設定データに基づき、プログラムの設定を初期化して、起動処理を終了する。
【００６２】
演算装置１７１は、外部記憶装置１７３と記憶装置１７２とから設定データを正常に読み出せないとき、ステップＳ４６０において、プログラムに書き込まれた設定データを用いて初期化を行う。演算装置１７１は、初期化が完了すると、起動処理を終了する。
【００６３】
演算装置１７１は、起動処理を終了すると、図６Ａに示すステップＳ１１０において、無操作状態が所定の時間以上続いたかを判定する。例えば、演算装置１７１は、操作されることなく所定の時間以上経過したかを判定する。演算装置１７１は、料金精算機２１の説明、例えば音声出力が終了してから、操作されることなく所定の時間以上経過したかを判定してもよい。演算装置１７１は、無操作状態が所定の時間継続していないと判定すると、ステップＳ１２０を実行する。演算装置１７１は、無操作状態が所定の時間以上継続したと判定すると、ステップＳ１１５を実行する。
【００６４】
ステップＳ１１５において、演算装置１７１は、説明言語を初期化して、起動時に選択される初期言語を説明言語として設定する。演算装置１７１は、初期言語に基づき、言語入力部１１１の発光装置１１１−２を発光させる信号を生成する。例えば、初期言語が第１言語（例えば日本語）の場合、第１言語に対応する第１発光装置１１１ａ−２を発光させる信号が生成される。初期言語は、起動処理において設定されてもよく、予め決められていてもよい。説明言語は、現在、選択されている言語を表す。これにより、演算装置１７１は、前の人が選択した説明言語によらず、説明装置３１の使用を開始するときの言語を、初期設定である最も使用される言語に設定することができる。
【００６５】
ステップＳ１２０において、演算装置１７１は、言語が入力されているかを判定する。具体的には、演算装置１７１は、言語入力部１１１が入力されているかを判定する。言語入力部１１１が入力されているとき、演算装置１７１はステップＳ１３０を実行する。言語入力部１１１が入力されていないとき、演算装置１７１はステップＳ１４０を実行する。
【００６６】
ステップＳ１３０において、演算装置１７１は、説明言語を言語入力部１１１に入力された言語に変更する。また、演算装置１７１は、現在発光している発光装置１１１−２への信号出力を停止し、入力された言語に対応する発光装置１１１−２を発光させる信号を生成する。例えば、第２言語入力部１１１ｂ（例えば英語）が選択されたとき、演算装置１７１は、説明言語を第２言語入力部１１１ｂに対応する第２言語に変更し、第２発光装置１１１ｂ−２を発光させる信号を生成する。
【００６７】
ステップＳ１４０において、演算装置１７１は、操作項目が選択されたか、具体的には操作項目入力部１２１が選択されたかを判定する。演算装置１７１は、操作項目入力部１２１が選択されていないとき、ステップＳ１１０の処理に戻る。演算装置１７１は、操作項目入力部１２１が選択されたとき、選択された操作項目を記憶して、ステップＳ１５０を実行する。
【００６８】
ステップＳ１５０において、演算装置１７１は、説明言語と選択された操作項目とに応じた音声信号を音声出力部１６１に出力し始める。これにより、音声出力部１６１はメッセージの出力を開始する。具体的には、演算装置１７１は、制御用データ３００を参照して、説明言語と選択された操作項目とに基づき、音声データを記憶装置１７２から読み出す。演算装置１７１は、読み出した音声データに応じて、音声信号を生成して音声出力部１６１への送信を開始する。また、演算装置１７１は、音声信号の出力を開始した開始時刻を記憶する。
【００６９】
さらに、演算装置１７１は、操作項目に応じて、操作位置指示部１４０に操作位置を表す信号を生成する。具体的には、演算装置１７１は、制御用データ３００を参照して、操作項目に基づき、操作位置指示３３０に表された操作位置を検出する。演算装置１７１は、操作位置指示部１４０を制御して、検出した操作位置を表すように操作位置指示部１４０の発光装置を発光する。例えば、第１操作項目入力部１２１ａが選択されると、演算装置１７１は操作項目３１０の「第１項目」に対応するカード挿入位置指示部１４１を発光する。これにより、利用者は、料金精算機２１の操作位置を容易に把握するこができる。演算装置１７１は、ステップＳ１５０の次に、図６Ｂに示すステップＳ２１０を実行する。
【００７０】
図６Ｂに示すステップＳ２１０において、演算装置１７１は、新たな言語が入力されているか、具体的には、現在の説明言語と異なる言語入力部１１１が入力されているかを判定する。現在の説明言語と異なる言語入力部１１１が入力されているとき、演算装置１７１はステップＳ２２０を実行する。現在の説明言語と異なる言語入力部１１１が入力されていないとき、演算装置１７１はステップＳ２５０を実行する。
【００７１】
ステップＳ２２０において、演算装置１７１は、音声出力部１６１への音声信号の出力を停止する。これにより、音声出力部１６１はメッセージの出力を停止する。
【００７２】
ステップＳ２３０において、演算装置１７１は、説明言語を言語入力部１１１に入力された言語に変更する。ステップＳ２３０では、演算装置１７１はステップＳ１３０と同様の処理を行う。
【００７３】
ステップＳ２４０において、演算装置１７１は、変更された説明言語と選択されている操作項目とに応じた音声信号を音声出力部１６１に出力し始める。これにより、音声出力部１６１は選択された言語に変更されたメッセージの出力を開始する。具体的には、演算装置１７１は、ステップＳ１５０と同様の処理を行う。このとき、演算装置１７１は開始時刻を更新する。
【００７４】
ステップＳ２５０において、演算装置１７１は、メッセージの出力を開始してから所定の時間経過したかを判定する。具体的には、演算装置１７１は、音声信号の出力を開始した開始時刻と現在時刻とを比較して、開始時刻から所定の期間が経過したかを判定する。開始時刻から所定の時間が経過していないとき、演算装置１７１はステップＳ２１０の処理に戻る。開始時刻から所定の時間が経過しているとき、演算装置１７１は図６Ｃに示すステップＳ３１０を実行する。なお、この所定の時間は、予め設定された時間である。
【００７５】
図６Ｃに示すステップＳ３１０において、演算装置１７１は、メッセージの出力が終了したかを判定する。具体的には、演算装置１７１は、読み出した音声データに対応する音声信号をすべて出力したかを判定する。音声信号をすべて出力したとき、演算装置１７１は、操作位置指示部１４０の発光装置を消灯して、図６Ａに示すステップＳ１１０を実行する。音声信号をすべて出力していないとき、演算装置１７１は、ステップＳ３２０を実行する。
【００７６】
ステップＳ３２０において、演算装置１７１は、新たな言語が入力されているか、具体的には、現在選択されている説明言語と異なる言語入力部１１１が入力されているかを判定する。現在選択されている説明言語と異なる言語入力部１１１が入力されているとき、演算装置１７１はステップＳ３３０を実行する。現在選択されている説明言語と異なる言語入力部１１１が入力されていないとき、演算装置１７１はステップＳ３６０を実行する。
【００７７】
ステップＳ３３０において、演算装置１７１は、音声出力部１６１への音声信号の出力を停止する。これにより、音声出力部１６１はメッセージの出力を停止する。
【００７８】
ステップＳ３４０において、演算装置１７１は、説明言語を言語入力部１１１に入力された言語に変更する。ステップＳ３４０では、演算装置１７１はステップＳ１３０と同様の処理を行う。
【００７９】
ステップＳ３５０において、演算装置１７１は、変更された説明言語と選択されている操作項目とに応じた音声信号を音声出力部１６１に出力し始める。これにより、音声出力部１６１は選択された言語に変更されたメッセージの出力を開始する。具体的には、演算装置１７１は、ステップＳ１５０と同様の処理を行う。このとき、演算装置１７１は開始時刻を更新する。演算装置１７１は、ステップＳ３５０の次に、図６Ｂに示すステップＳ２１０を実行する。
【００８０】
ステップＳ３６０は、ステップＳ３２０において新たな言語が入力されていないときに実行される。ステップＳ３６０において、演算装置１７１は、操作項目が選択されたか、具体的には操作項目入力部１２１が選択されたかを判定する。演算装置１７１は、操作項目入力部１２１が選択されていないとき、ステップＳ３１０の処理に戻る。演算装置１７１は、操作項目入力部１２１が選択されたとき、ステップＳ３７０を実行する。
【００８１】
ステップＳ３７０において、演算装置１７１は、音声出力部１６１への音声信号の出力を停止する。これにより、音声出力部１６１はメッセージの出力を停止する。また、演算装置１７１は操作位置指示部１４０の発光装置を消灯する。その後、演算装置１７１はステップＳ３５０を実行して、新たに選択された操作項目に応じたメッセージの出力を開始するように音声出力部１６１を制御するとともに、操作位置指示部１４０の発光装置を発光する。
【００８２】
演算装置１７１は、以上のように動作することで、操作位置指示部１４０と音声出力部１６１とを制御する。
【００８３】
演算装置１７１は、メッセージの出力を開始する図６ＡのステップＳ１５０と、図６ＢのステップＳ２４０と、図６ＣのステップＳ３５０において、操作ログを外部記憶装置１７３に格納してもよい。操作ログは、メッセージを出力するときの日時と、説明言語と、操作項目とを含む。演算装置１７１は、外部記憶装置１７３の予め設定された領域、例えばフォルダ（ディレクトリとも呼ぶ）に操作ログを格納する。例えば、外部記憶装置１７３にフォルダが存在しないとき、演算装置１７１はこのフォルダを作成して操作ログを格納してもよい。外部記憶装置１７３が接続されていないとき、または、外部記憶装置１７３に格納する記憶領域がないとき、演算装置１７１は、操作ログを格納せずに処理を進めてもよく、操作ログを記憶装置１７２に格納してもよい。演算装置１７１が操作ログを格納することで、頻繁に使用される言語と操作項目とを確認することができる。これにより、利用者の利用状況に応じて説明項目を変更することで、利用者がより知りたい操作方法を説明することができる。
【００８４】
（実施の形態２）
操作装置３２は、図８に示すように、説明装置３１の操作位置指示部１４０を制御する管理員操作装置２４０を付加的に備えてもよい。本実施の形態による操作説明システム３０は、実施の形態１で説明した機能、構成を同様に有する。また、その他の料金精算機２１、発進制御機２２などの構成は実施の形態１と同様である。
【００８５】
管理員操作装置２４０は、説明装置３１の操作位置指示部１４０で操作位置を指示する指示位置に対応した操作部を備える。例えば、管理員操作装置２４０は、操作部として、カード挿入位置指示部１４１に対応するカード挿入説明部２４１と、硬貨挿入位置指示部１４２に対応する硬貨挿入説明部２４２と、紙幣挿入位置指示部１４３に対応する紙幣挿入説明部２４３と、おつり返却位置指示部１４４に対応するおつり返却説明部２４４と、領収書出力位置指示部１４５に対応する領収書出力説明部２４５とを備える。各操作部は、例えばボタンで構成されている。
【００８６】
各操作部は、管理員が操作することで、対応する操作位置指示部１４０の指示位置を発光させ強調表示する。例えば、カード挿入説明部２４１が押されると、説明装置３１のカード挿入位置指示部１４１が発光する。硬貨挿入説明部２４２が押されると、説明装置３１の硬貨挿入位置指示部１４２が発光する。紙幣挿入説明部２４３が押されると、紙幣挿入位置指示部１４３が発光する。
【００８７】
各操作部は、図９に示すように、操作装置３２の通信装置２１０と、説明装置３１の通信装置１８０とを介して、制御部１７０と通信可能に接続されている。各操作部は、押されると、各操作部が押されたことを示す表示指示信号を制御部１７０に出力する。制御部１７０は表示指示信号に応じて、操作位置指示部１４０の各部を制御する。
【００８８】
これにより、管理員は、料金精算機２１を用いて利用者に音声での説明を行うときに、具体的な操作位置を指示することができる。
【００８９】
（変形例）
制御部１７０は、複数の制御装置で実装され、各々の制御装置が制御部１７０の一部の処理を実行してもよい。例えば、聴覚障害者支援部１５０を制御する制御装置と、その他の入出力部１６０を制御する制御装置とが別体として設けられてもよい。
【００９０】
演算装置１７１は、図６ＡのステップＳ１５０などにおいて、音声信号の出力を開始した時刻を記憶する例を示したが、これに限定されず、音声信号の出力を開始してから所定の時間が経過しているかを判定できれば任意の方法を選択することができる。例えば、演算装置１７１は、音声信号の出力を開始してから演算装置１７１の制御信号であるクロック数を数えることで、所定の期間が経過しているかを判定してもよい。
【００９１】
説明装置３１は、操作項目に対応するメッセージを出力しているときに、言語入力部１１１が選択されると、新たに選択された言語で初めからメッセージを出力する例を示したが、これに限定されない。説明装置３１は、操作項目に対応するメッセージを出力しているときに、言語入力部１１１が選択されても、選択された言語でメッセージを出力せずに、元の言語でメッセージを出力し続けてもよい。この場合、演算装置１７１は、図６Ｂに示すステップＳ２１０からステップＳ２４０と、図６Ｃに示すステップＳ３２０からステップＳ３７０までの処理を省略し、図６Ｂに示すステップＳ２５０の処理をメッセージが出力されている間、繰り返す。
【００９２】
説明装置３１は、操作項目に対応するメッセージの出力を開始してから所定の期間内に操作項目入力部１２１が選択されても、新たに選択された操作項目に応じたメッセージを出力しない例を示したが、これに限定されない。説明装置３１は、メッセージの出力を開始してから経過した時間にかかわらず、新たに選択された操作項目に応じたメッセージを出力してもよい。この場合、演算装置１７１は、図６Ｂに示すステップＳ２１０からステップＳ２５０の処理を省略する。
【００９３】
また、説明装置３１は、メッセージの出力を開始してから所定の時間経過するまで、操作項目入力部１２１と言語入力部１１１のいずれか一方が選択されても、新たに選択された操作項目または説明言語に応じたメッセージを出力しなくともよい。この場合、演算装置１７１は、図６Ｂに示すステップＳ２１０からステップＳ２４０の処理を省略する。
【００９４】
操作位置指示部１４０は、操作パネルの操作位置に対応する位置に発光装置を備える例を示したが、これに限定されず、料金精算機２１の操作パネルの操作位置を指示できれば任意の構成を選択することができる。例えば、操作位置指示部１４０が液晶パネルなどの表示装置を備え、演算装置１７１は、表示装置に料金精算機２１の操作パネルを表示し、説明する操作に応じた操作位置を強調表示するように制御してもよい。また、操作位置指示部１４０は、料金精算機２１の操作パネルに張り付ける発光装置で構成されてもよい。操作位置指示部１４０は、料金精算機２１の操作パネルに組み込まれてもよい。また、演算装置１７１は、言語入力部１１１に入力された説明言語に基づき、操作パネルを説明言語で表した画像を表示装置に表示してもよい。
【００９５】
言語入力部１１１と、操作項目入力部１２１とは、ボタンで構成される例を示したが、これに限定されず、説明言語と操作項目とを入力できれば、任意の構成を選択することができる。例えば、言語入力部１１１と、操作項目入力部１２１とはタッチパネルで構成されてもよく、文字を入力する入力装置で構成されてもよい。また、言語入力部１１１と、操作項目入力部１２１とは、タッチパネルで構成され、操作位置指示部１４０と、言語表示部１１２とを統合してもよい。
【００９６】
制御用データ３００は、操作位置指示３３０に各部を強調表示するタイミングを備えてもよい。例えば、制御用データ３００が音声信号の出力を開始してから各部を強調表示するまでの表示開始時間を備え、演算装置１７１は、音声信号の出力を開始してから表示開始時間を経過したときに、各部を強調表示するように操作位置指示部１４０を制御してもよい。
【００９７】
操作位置指示部１４０は、前述の実施の形態で説明した料金精算機２１の操作に限らず、任意の操作に対応する操作位置に位置指示部を備えてもよい。例えば、操作位置指示部１４０は、操作レバー４８に対応する操作レバー位置指示部を備えてもよい。また、操作位置指示部１４０は、操作位置に限定されず、操作を行うために使用される装置、例えばカメラなどの位置を指示する位置指示部を備えてもよい。操作位置指示部１４０は、例えば、撮像部４９に対応する撮像位置指示部を備えてもよい。
【００９８】
選択されている言語を表す発光装置が言語入力部１１１に設けられている例を示したが、これに限定されず、選択されている言語を表す任意の方法を選択することができる。例えば、言語表示部１１２に発光装置が設けられ、選択されている言語に対応する発光装置が発光してもよい。
【００９９】
以上において説明した実施の形態および変形例は一例であり、機能を阻害しない範囲で変更してもよい。また、各実施の形態および変形例で説明した構成は、機能を阻害しない範囲で、任意に変更してもよく、または／および、任意に組み合わせてもよい。
【０１００】
操作説明システム３０は一部の機能を省略してもよく、例えば、聴覚障害者を支援する装置を別途設置することで、操作説明システム３０から聴覚障害者を支援する機能を省略してもよい。また、説明装置３１は、操作項目に対応する操作説明として音声と表示とで出力する例を示したが、これに限定されず、音声と表示とのいずれか一方を操作説明として出力してもよい。また、外部記憶装置１７３を省略してもよい。
【符号の説明】
【０１０１】
１０      ：走行レーン
２０      ：アイランド
２１      ：料金精算機
２２      ：発進制御機
３０      ：操作説明システム
３１      ：説明装置
３２      ：操作装置
４１      ：カード挿入部
４２      ：硬貨挿入部
４３      ：紙幣挿入部
４４      ：おつり返却部
４５      ：領収書出力部
４６      ：呼出部
４７      ：証明書収納部
４８      ：操作レバー
４９      ：撮像部
１１０    ：言語選択部
１１１    ：言語入力部
１１２    ：言語表示部
１２０    ：説明要求部
１２１    ：操作項目入力部
１４０    ：操作位置指示部
１４１    ：カード挿入位置指示部
１４２    ：硬貨挿入位置指示部
１４３    ：紙幣挿入位置指示部
１４４    ：おつり返却位置指示部
１４５    ：領収書出力位置指示部
１４６    ：呼出位置指示部
１５０    ：聴覚障害者支援部
１５１    ：支援入力部
１５２    ：応答表示部
１６０    ：入出力部
１６１    ：音声出力部
１７０    ：制御部
１７１    ：演算装置
１７２    ：記憶装置
１７３    ：外部記憶装置
１８０    ：通信装置
２１０    ：通信装置
２１１    ：呼出ブザー
２１２    ：応答ボタン
２４０    ：管理員操作装置
２４１    ：カード挿入説明部
２４２    ：硬貨挿入説明部
２４３    ：紙幣挿入説明部
２４４    ：おつり返却説明部
２４５    ：領収書出力説明部
３００    ：制御用データ
３１０    ：操作項目
３２０    ：説明言語
３３０    ：操作位置指示
【要約】
【課題】様々な利用者に料金精算機の操作方法を説明するための操作説明システムを提供する。
【解決手段】料金精算機２１の操作説明システム３０は、入出力部１６０と、制御部１７０とを備える。入出力部１６０には料金精算機に通行料を支払う操作の操作項目が入力される。また、入出力部１６０において操作を説明するための説明言語が選択される。制御部１７０は、操作項目に応じた操作説明を説明言語で表す出力信号を生成する。入出力部１６０は、出力信号に応じて、操作説明を出力する。
【選択図】図４【図１】
0006960024.tif 000002
【図２】
0006960024.tif 000003
【図３】
0006960024.tif 000004
【図４】
0006960024.tif 000005
【図５】
0006960024.tif 000006
【図６Ａ】
0006960024.tif 000007
【図６Ｂ】
0006960024.tif 000008
【図６Ｃ】
0006960024.tif 000009
【図７Ａ】
0006960024.tif 000010
【図７Ｂ】
0006960024.tif 000011
【図８】
0006960024.tif 000012
【図９】
0006960024.tif 000013